(57)【要約】【課題】窓ガラスを中間開度位置で自動停止させることができるパワーウインドウ装置を提供すること。【解決手段】窓ガラスＷ側に磁石１２が取付けられると共に、窓ガラスＷを囲う枠体部分２０側にホール素子１４が取付けられている。窓ガラスＷを開閉移動させる際に、ホール素子１４からの検出信号に基づいて、窓ガラスＷを所定の中間開度位置に自動停止させる。【選択図】        図１
2005042342.tif 000002
【特許請求の範囲】
【請求項１】
車両の窓材を開閉するためのパワーウインドウ装置であって、
前記窓材及びこの窓材を囲う車体側部分のうちの一方に設けられた磁界発生手段と、
前記窓材及び前記車体側部分のうちの他方に設けられ、磁界を検出する磁気検出手段と、
前記磁気検出手段の検出結果に基づいて、前記窓材の開閉制御を行う制御手段と、を備えたパワーウインドウ装置。
【請求項２】
請求項１記載のパワーウインドウ装置であって、
前記窓材が所定の中間開度位置に移動した状態で、前記磁界発生手段と前記磁気検出手段とが最接近するように配設され、
前記制御手段は、
前記磁気検出手段の検出結果に基づいて、前記磁界発生手段と前記磁気検出手段とが最接近したと判断したときに、前記窓材の開閉移動を停止させる、パワーウインドウ装置。
【請求項３】
請求項１又は請求項２記載のパワーウインドウ装置であって、
前記磁気検出手段は、ホール素子である、パワーウインドウ装置。
【請求項４】
請求項１〜請求項３記載のいずれかに記載のパワーウインドウ装置であって、
前記磁界発生手段は、磁石であり、
前記磁石が、前記窓材及び前記車体側部分のうちの一方に、着脱自在に取付けられて、その取付位置が調整可能に構成された、パワーウインドウ装置。
【発明の詳細な説明】
【０００１】
【発明の属する技術分野】
この発明は、車両の窓ガラス等を開閉するためのパワーウインドウ装置に関する。
【０００２】
【従来の技術】
従来、車両の運転席側の窓ガラスを開閉する技術として、窓開閉スイッチを一押しするだけで、ワンタッチで、該窓ガラスを全開させ、或は、全閉させるものがある。
【０００３】
このような技術は、自動車のカタログ一般に記載されている。
【０００４】
【発明が解決しようとする課題】
しかしながら、従来では、ワンタッチによる窓の開閉操作については、全開及び全閉とするような２種類を行えるのみであった。
【０００５】
これは、窓ガラスの開閉動作の終了検知を、開閉用モータのロック電流により検出していたため、窓ガラスが開閉する途中の位置での検出ができなかったからである。
【０００６】
このため、例えば、夏場に駐車する際に、雨が車内に吹込まない程度に少しだけ窓を開けておき、駐車中の熱気を低減するための開閉動作や、料金所でチケット、カード、料金を見せたり或は手渡したりする程度に窓を開ける際には、手動操作で開閉量を調整する必要があった。
【０００７】
そこで、この発明の課題は、窓ガラスを中間開度位置で自動停止させることができる、パワーウインドウ装置を提供することにある。
【０００８】
【課題を解決するための手段】
上記課題を解決すべく、請求項１記載の発明は、車両の窓材を開閉するためのパワーウインドウ装置であって、前記窓材及びこの窓材を囲う車体側部分のうちの一方に設けられた磁界発生手段と、前記窓材及び前記車体側部分のうちの他方に設けられ、磁界を検出する磁気検出手段と、前記磁気検出手段の検出結果に基づいて、前記窓材の開閉制御を行う制御手段と、を備えたものである。
【０００９】
請求項２記載の発明は、前記窓材が所定の中間開度位置に移動した状態で、前記磁界発生手段と前記磁気検出手段とが最接近するように配設され、前記制御手段は、前記磁気検出手段の検出結果に基づいて、前記磁界発生手段と前記磁気検出手段とが最接近したと判断したときに、前記窓材の開閉移動を停止させるものである。
【００１０】
なお、請求項３記載のように、前記磁気検出手段としては、ホール素子を用いることができる。
【００１１】
また、請求項４記載のように、前記磁界発生手段は、磁石であり、前記磁石が、前記窓材及び前記車体側部分のうちの一方に、着脱自在に取付けられて、その取付位置が調整可能に構成されていてもよい。
【００１２】
【発明の実施の形態】
以下、この発明の実施の形態に係るパワーウインドウ装置について説明する。
【００１３】
図１は、パワーウインドウ装置を示すブロック図である。同図に示すように、このパワーウインドウ装置は、自動車の運的席側方の窓ガラスやサンルーフ等、車両の窓材を開閉するための装置であり、ここでは、自動車の運的席側方の窓ガラスＷを開閉するための装置として説明する。このパワーウインドウ装置は、磁界発生手段である磁石１２と、磁気検出手段であるホール素子１４と、窓ガラスＷの開閉制御を行うウインドウ制御ユニット１６とを備えている。
【００１４】
磁石１２は、永久磁石等により構成されており、所定の磁界を発生させる。本実施の形態では、磁石１２は、窓ガラスＷの後側の辺上部に取付けられている。なお、磁石１２の取付位置は、この例に限られず、窓ガラスＷの開閉に伴って移動する位置であればよい。
【００１５】
ホール素子１４は、磁界を検出してその検出結果を出力する。ここでは、ホール素子１４は、磁界の強さに応じた電圧値を持つ検出信号を出力する。
【００１６】
また、このホール素子１４は、窓ガラスＷを囲う車体側部分に取付けられている。本実施の形態では、ホール素子１４は、窓ガラスＷを囲う枠体部分２０であって、窓ガラスＷの後側の辺に対応する枠部分２０ａの中間部に取付けられている。なお、ホール素子１４を、車体側のピラー部分（センターピラー等）に取付けてもよい。
【００１７】
そして、窓ガラスＷが所定の中間開度位置（図２及び図３の２点鎖線参照）に位置する状態で、磁石１２とホール素子１４とが対向して最接近する位置関係となっている。この中間開度位置は、磁石１２とホール素子１４との相対的な位置関係を調整することで、開度１割や開度６割等、任意の位置に設定できる。
【００１８】
ウインドウ制御ユニット１６は、ＣＰＵ、ＲＯＭおよびＲＡＭ等を備える一般的なマイクロコンピュータにより構成されており、予め格納されたソフトウェアプログラムによって後述する動作を実行する。
【００１９】
このウインドウ制御ユニット１６には、ホール素子１４及び入力部１８が接続されると共に、図示省略の駆動回路を介してモータＭが接続されている。入力部１８は、運転者等の操作者により入力される、窓ガラスＷの中間開度位置までの開操作指令及び閉操作指令を受付ける。また、モータＭは、図示省略の窓開閉機構を介して、窓ガラスＷを開（下）方向及び閉（上）方向に移動させる。
【００２０】
そして、ウインドウ制御ユニット１６は、ホール素子１４からの検出信号及び入力部１８からの操作信号に基づいて、モータＭの駆動制御を行って、窓ガラスＷの開閉制御を行う。
【００２１】
このパワーウインドウ装置の動作について説明する。
【００２２】
まず、窓ガラスＷを、全閉状態から所定の中間開度位置までワンタッチで開く動作について、図２（ａ）及び図２（ｂ）を参照して説明する。
【００２３】
この場合、窓ガラスＷが全閉状態である初期状態において、操作者が入力部１８を通じて中間開度位置までの開操作指令を入力する。すると、ウインドウ制御ユニット１６は、当該指令を受けて、モータＭの駆動により窓ガラスＷを開（下）方向に移動させる。
【００２４】
ここで、図２（ｂ）は、窓ガラスＷの上下位置Ｈと、ホール素子１４の検出電圧との関係を示している。同図に示すように、窓ガラスＷが全閉状態から開（下）方向に移動すると、初期においては検出電圧が徐々に増加し、磁石１２とホール素子１４とが対向した状態で検出電圧が最大値に達し、その後、検出電圧は徐々に減少していくことになる。
【００２５】
ウインドウ制御ユニット１６は、ホール素子１４からの検出信号に基づいて、磁石１２とホール素子１４とが対向して最接近したこと、即ち、窓ガラスＷが所定の中間開度位置まで達したことを判別する。例えば、検出信号の電圧値が所定のしきい値を上回ったことをもって、或は、検出信号の電圧値が増加から減少に転じたことをもって、磁石１２とホール素子１４とが最接近したことを判別する。
【００２６】
そして、ウインドウ制御ユニット１６が、窓ガラスＷが所定の中間開度位置まで達したことを判別すると、モータＭの駆動を停止させて、窓ガラスＷを当該所定の中間開度位置で停止させる。
【００２７】
次に、窓ガラスＷを、全閉状態から所定の中間開度位置までワンタッチで閉じる動作について、図３（ａ）及び図３（ｂ）を参照して説明する。
【００２８】
この場合、窓ガラスＷが全開状態である初期状態において、操作者が入力部１８を通じて中間開度位置までの閉操作指令を入力する。すると、ウインドウ制御ユニット１６は、当該指令を受けて、モータＭの駆動により窓ガラスＷを閉（上）方向に移動させる。
【００２９】
そして、窓ガラスＷが全開状態から閉（上）方向に移動すると、図３（ｂ）に示すように、初期においては検出電圧が徐々に増加し、磁石１２とホール素子１４とが対向した状態で検出電圧が最大値に達し、その後、検出電圧は徐々に減少していくことになる。
【００３０】
ウインドウ制御ユニット１６は、ホール素子１４からの検出信号に基づいて、上記と同様に、磁石１２とホール素子１４とが対向して最接近したこと、即ち、窓ガラスＷが所定の中間開度位置まで達したことを判別する。
【００３１】
そして、ウインドウ制御ユニット１６が、窓ガラスＷが所定の中間開度位置まで達したことを判別すると、モータＭの駆動を停止させて、窓ガラスＷを当該所定の中間開度位置で停止させる。
【００３２】
このように構成されたパワーウインドウ装置によると、窓ガラスＷの開閉に伴い、ホール素子１４において検出される磁界の強さが変動するため、当該ホール素子１４からの検出結果に基づいて、窓ガラスＷの開閉制御を行うことで、ワンタッチの操作で、該窓ガラスＷを当該所定の中間開度位置で自動停止させることができる。
【００３３】
この際、ホール素子１４と磁石１２とが最接近したと判断したときに窓ガラスＷの開閉移動を停止させているため、ホール素子１４と磁石１２との配設位置に応じて、窓ガラスＷを所定の中間開度位置に自動停止させることができる。
【００３４】
特に、磁気検出手段として、ホール素子１４を用いているため、小型かつ廉価な構成を実現できる。
【００３５】
なお、本実施の形態では、窓ガラスＷ側に磁石１２を取付けると共に、枠体部分２０側にホール素子１４を取付けているが、これとは逆に、窓ガラスＷ側にホール素子１４を取付けると共に、枠体部分２０側にホール素子１４を取付けてもよい。
【００３６】
また、磁石１２を窓ガラスＷに対して着脱自在に取付けて、その取付位置を調整可能に構成してもよい。磁石１２を着脱自在に取付ける構成としては、両面テープや吸盤等を用いた構成が挙げられる。
【００３７】
これにより、ユーザーの好み等に応じて、所定の中間開度位置の調整を行える。特に、配線変更の必要がない磁石１２の取付位置を変更することで、当該調整を容易に行える。
【００３８】
また、磁石１２を窓ガラスＷ側に取付けると共に、ホール素子１４を枠体部分２０側に取付ける構成を採用することにより、必要な配線を枠体部分２０内だけに組込めばよいことになり、配線作業を容易にすることができる。
【００３９】
【発明の効果】
以上のように、この発明の請求項１記載のパワーウインドウ装置によると、窓材の開閉に伴い、磁気検出手段において検出される磁界が変動するため、磁気検出手段における検出結果に基づいて窓材の開閉制御を行うことで、該窓材を所定の中間開度位置で自動停止させることができる。
【００４０】
また、請求項２記載のパワーウインドウ装置によると、磁界発生手段と磁気検出手段とが最接近したと判断したときに、前記窓材の開閉移動を停止させているため、磁界発生手段と磁気検出手段との配設位置に応じて、該窓材を当該所定の中間開度位置で自動停止させることができる。
【００４１】
また、請求項３記載の発明によれば、磁気検出手段として、ホール素子を用いているため、小型かつ廉価な構成を実現できる。
【００４２】
さらに、請求項４記載の発明によれば、配線変更を伴わない、磁石の取付位置を調整することで、窓材の中間開度位置を容易に調整できる。
【図面の簡単な説明】
【図１】この発明の実施の形態に係るパワーウインドウ装置を示すブロック図である。
【図２】図２（ａ）は窓ガラスが中間開度位置まで開く状態を示す説明図であり、図２（ｂ）は窓ガラスの上下位置と検出電圧との関係を示す図である。
【図３】図３（ａ）は窓ガラスが中間開度位置まで閉じる状態を示す説明図であり、図３（ｂ）は窓ガラスの上下位置と検出電圧との関係を示す図である。
【符号の説明】
１２  磁石
１４  ホール素子
１６  ウインドウ制御ユニット
２０  枠体部分
Ｗ  窓ガラス
【図１】
2005042342.tif 000003
【図２】
2005042342.tif 000004
【図３】
2005042342.tif 000005